(57)【要約】  本発明は、無線装置（ＢＳ）と無線ステーション（ＭＮ，ＦＮＡ，ＦＮＢ，ＦＮＣ，ＦＮＤ，ＡＰＡ，ＡＰＢ）との間の無線通信方法に関する。本発明によれば、無線装置（ＢＳ）は第２の無線ステーション（ＦＮＢ）から無線装置（ＢＳ）に先送りされた、第１の無線ステーション（ＭＮ）から第３の無線ステーション（ＡＰＢ）へのメッセージ（ＤＡＴＡ）のこれからの送信に関する該第１の無線ステーション（ＭＮ）のリクエスト（ＲＥＱ）を受信する。更に無線装置は、第１の無線ステーション（ＭＮ）から第３の無線ステーション（ＡＰＢ）へのメッセージ（ＤＡＴＡ）を１つまたは複数の無線ステーション（ＦＮＢ，ＦＮＤ）を通るパスの無線ステーション（ＦＮＢ，ＦＮＤ）による先送りによって伝送可能とする該パスの少なくとも１つの無線ステーション（ＦＮＢ，ＦＮＤ）に、      ・  前記パスに沿って第３の無線ステーション（ＡＰＢ）の方向において該パスのそれぞれの無線ステーション（ＦＮＢ，ＦＮＤ）に隣接している無線ステーション（ＦＮＤ，ＦＮＢ）に関する情報（ＩＮＦＯ）、および必要に応じてメッセージ（ＤＡＴＡ）の先送りの際にパスのそれぞれの無線ステーション（ＦＮＢ，ＦＮＤ）によって使用することができる無線リソースに関する情報も送信する。さらに本発明は方法を実施するための無線装置および無線ステーションにも関する。
2007531438.tif 000002
【特許請求の範囲】
【請求項１】
無線装置（ＢＳ）と無線ステーション（ＭＮ，ＦＮＡ，ＦＮＢ，ＦＮＣ，ＦＮＤ，ＡＰＡ，ＡＰＢ）との間の無線通信方法であって、
無線装置（ＢＳ）は
−  第２の無線ステーション（ＦＮＢ）から無線装置（ＢＳ）に先送りされた、第１の無線ステーション（ＭＮ）から第３の無線ステーション（ＡＰＢ）へのメッセージ（ＤＡＴＡ）のこれからの送信に関する該第１の無線ステーション（ＭＮ）のリクエスト（ＲＥＱ）を受信し、かつ
−  第１の無線ステーション（ＭＮ）から第３の無線ステーション（ＡＰＢ）へのメッセージ（ＤＡＴＡ）を１つまたは複数の無線ステーション（ＦＮＢ，ＦＮＤ）を通るパスの無線ステーション（ＦＮＢ，ＦＮＤ）による先送りにより伝送可能とする該パスの少なくとも１つの無線ステーション（ＦＮＢ，ＦＮＤ）に、
・  前記パスに沿って第３の無線ステーション（ＡＰＢ）の方向において該パスのそれぞれの無線ステーション（ＦＮＢ，ＦＮＤ）に隣接している無線ステーション（ＦＮＤ，ＦＮＢ）に関する情報（ＩＮＦＯ）を
送信し、ここで
前記パスは、無線装置（ＢＳ）および／または該無線装置（ＢＳ）に接続されている装置（ＮＥＴ）によって、無線ステーション（ＭＮ，ＦＮＡ，ＦＮＢ，ＦＮＣ，ＦＮＤ，ＡＰＡ，ＡＰＢ）間の隣接関係に関する情報を使用して突き止められる
方法。
【請求項２】
無線装置（ＢＳ）は前記パスの少なくとも１つの無線ステーション（ＦＮＢ，ＦＮＤ）に
・  前記パスのそれぞれの無線ステーション（ＦＮＢ，ＦＮＤ）を通ってメッセージ（ＤＡＴＡ）を先送りする際に使用することができる無線リソースに関する情報（ＩＮＦＯ）を
送信する
請求項１記載の方法。
【請求項３】
無線装置（ＢＳ）は前記情報（ＩＮＦＯ）を前記パスのそれぞれの無線ステーション（ＦＮＢ，ＦＮＤ）に送信する
請求項１または２記載の方法。
【請求項４】
無線ステーション（ＭＮ，ＦＮＡ，ＦＮＢ，ＦＮＣ，ＦＮＤ，ＡＰＡ，ＡＰＢ）間の通信を第１の無線標準を使用して行いかつ無線ステーション（ＭＮ，ＦＮＡ，ＦＮＢ，ＦＮＣ，ＦＮＤ，ＡＰＡ，ＡＰＢ）と無線装置との間の通信を第１の無線標準とは異なった第２の無線標準を使用して行う
請求項１から３までのいずれか１項記載の方法。
【請求項５】
第１の無線ステーション（ＭＮ）は、１つまたは複数の無線インタフェースが、無線ステーションと無線装置との間の通信のための無線インタフェース（ＣＥＬＬ）とは異なっている第１のグループの無線ステーションに属し、かつ
前記パスの無線ステーション（ＦＮＢ，ＦＮＤ）は、無線インタフェース（ＷＬＡＮ，ＣＥＬＬ）が無線装置（ＢＳ）との通信のための無線インタフェース（ＣＥＬＬ）を有している第２グループの無線ステーションに属している
請求項１から４までのいずれか１項記載の方法。
【請求項６】
無線装置（ＢＳ）は第２の無線ステーション（ＦＮＢ）に、メッセージ（ＤＡＴＡ）の送信の際に第１の無線ステーション（ＭＮ）が使用することができる無線リソースに関する情報（ＲＥＳ）を送信する
請求項１から５までのいずれか１項記載の方法。
【請求項７】
第２の無線ステーション（ＦＮＢ）はメッセージ（ＤＡＴＡ）の送信の際に第１の無線ステーション（ＭＮ）が使用することができる無線リソースに関する情報（ＲＥＳ）を該第１の無線ステーション（ＭＮ）に送信する
請求項６記載の方法。
【請求項８】
無線ステーション（ＭＮ，ＦＮＡ，ＦＮＢ，ＦＮＣ，ＦＮＤ，ＡＰＡ，ＡＰＢ）間の隣接関係に関する情報を該無線ステーション（ＭＮ，ＦＮＡ，ＦＮＢ，ＦＮＣ，ＦＮＤ，ＡＰＡ，ＡＰＢ）によって求めかつ無線装置（ＢＳ）に送信する
請求項１から７までのいずれか１項記載の方法。
【請求項９】
第１の無線ステーション（ＭＮ）はメッセージ（ＤＡＴＡ）を第２の無線ステーション（ＦＮＢ）に送信し、かつ
前記パスのそれぞれの無線ステーション（ＦＮＢ，ＦＮＤ）はメッセージ（ＤＡＴＡ）を前記パスに沿って第３の無線ステーション（ＡＰＢ）の方向においてそれぞれ隣接している無線ステーション（ＦＮＤ，ＡＰＢ）に先送りする
請求項１から８までのいずれか１項記載の方法。
【請求項１０】
無線装置（ＢＳ）は第３の無線ステーション（ＡＰ）および／または前記パスの無線ステーション（ＦＮＢ，ＦＮＤ）の少なくとも一部に、前記パスに沿って第１の無線ステーション（ＭＮ）の方向において該それぞれの無線ステーション（ＦＮＢ，ＦＮＤ）に隣接している無線ステーション（ＦＮＢ）に関する情報を送信する
請求項１から９までのいずれか１項記載の方法。
【請求項１１】
無線ステーション（ＭＮ，ＦＮＡ，ＦＮＢ，ＦＮＣ，ＦＮＤ，ＡＰＡ，ＡＰＢ）との無線通信のための無線装置（ＢＳ）であって、
−  第２の無線ステーション（ＦＮＢ）から無線装置（ＢＳ）に先送りされた、第１の無線ステーション（ＭＮ）から第３の無線ステーション（ＡＰＢ）へのメッセージ（ＤＡＴＡ）のこれからの送信に関する該第１の無線ステーション（ＭＮ）のリクエスト（ＲＥＱ）を受信するための手段を備え、かつ
−  無線ステーション（ＭＮ，ＦＮＡ，ＦＮＢ，ＦＮＣ，ＦＮＤ，ＡＰＡ，ＡＰＢ）間の隣接関係に関する情報を使用してパスを突き止めるための手段（Ｍ６）を備え、
−  第１の無線ステーション（ＭＮ）から第３の無線ステーション（ＡＰＢ）へのメッセージ（ＤＡＴＡ）を前記パスの無線ステーション（ＦＮＢ，ＦＮＤ）による先送りによって伝送可能とする、１つまたは複数の無線ステーション（ＦＮＢ，ＦＮＤ）を介して延びているパスの少なくとも１つの無線ステーション（ＦＮＢ，ＦＮＤ）に、
・  前記パスに沿って第３の無線ステーション（ＡＰＢ）の方向において該パスのそれぞれの無線ステーション（ＦＮＢ，ＦＮＤ）に隣接している無線ステーション（ＦＮＤ，ＦＮＢ）に関する情報（ＩＮＦＯ）を
送信する手段を備えている
無線装置。
【請求項１２】
前記パスの少なくとも１つの無線ステーション（ＦＮＢ，ＦＮＤ）に
・  前記パスのそれぞれの無線ステーション（ＦＮＢ，ＦＮＤ）によりメッセージ（ＤＡＴＡ）を先送りする際に使用することができる無線リソースに関する情報（ＩＮＦＯ）を
送信するための手段を備えている
請求項１１記載の無線装置。
【請求項１３】
前記パスのそれぞれの無線ステーション（ＦＮＢ，ＦＮＤ）に情報（ＩＮＦＯ）を送信するための手段（Ｍ１４）を備えている
請求項１１または１２記載の無線装置。
【請求項１４】
第２の無線ステーション（ＦＮＢ）に、メッセージ（ＤＡＴＡ）の送信の際に第１の無線ステーション（ＭＮ）が使用することができる無線リソースに関する情報（ＲＥＳ）を送信するための手段（Ｍ４）を備えている
請求項１１から１３までのいずれか１項記載の方法。
【請求項１５】
無線ステーション（ＭＮ，ＦＮＤ）および無線装置（ＢＳ）と無線通信するための無線ステーション（ＦＮＢ）であって、
−  第１の別の無線ステーション（ＭＮ）から第２の別の無線ステーション（ＡＰＢ）へのメッセージ（ＤＡＴＡ）のこれからの送信に関する該第１の別の無線ステーション（ＭＮ）から送信されるリクエスト（ＲＥＱ）を受信するための手段（Ｍ１１）を備え、
−  第１の別の無線ステーション（ＭＮ）のリクエストを無線装置（ＢＳ）に先送りするための手段（Ｍ１２）を備え、
−該第１の別の無線ステーション（ＭＮ）がメッセージ（ＤＡＴＡ）の送信の際に使用することができる無線リソースについての情報（ＲＥＳ）を無線装置（ＢＳ）から受信するための手段（Ｍ１３）を備え、
−  該第１の別の無線ステーション（ＭＮ）がメッセージ（ＤＡＴＡ）の送信の際に使用することができる無線リソースについての情報（ＲＥＳ）を該第１の別の無線ステーション（ＭＮ）に先送りするための手段（Ｍ１４）を備えている
無線ステーション（ＦＮＢ）。
【請求項１６】
第１の別の無線ステーション（ＭＮ）から第２の別の無線ステーション（ＭＮ）へのメッセージ（ＤＡＴＡ）を無線ステーション（ＦＮＢ）が先送りすることができる第３の別の無線ステーション（ＦＮＤ）に関する情報を無線装置（ＢＳ）から受信するための手段（Ｍ１５）を備えている
請求項１５記載の無線ステーション（ＦＮＢ）。
【発明の詳細な説明】
【技術分野】
【０００１】
本発明は、無線装置と無線ステーションとの間の無線通信方法、並びにこの方法を実施するための無線装置および無線ステーションに関する。
【０００２】
無線通信システムにおいてメッセージ（例えば音声、文字などの言語、画像情報、ビデオ情報、ＳＭＳ（Short Message Service）、ＭＭＳ（Multimedia Messaging Service）またはその他のデータ）が電磁波を用いて送信ステーションと受信ステーションとの間の無線インタフェースを介して伝送される。この場合ステーションは無線通信システムの具体的な形態に応じて、種々様々な形式の加入者側の無線ステーション、中継局、無線アクセスポイントまたはベースステーションのようなネットワーク側の無線装置である。移動無線通信システムにおいて加入者側の無線ステーションの少なくとも一部は移動無線ステーションである。電磁波の放射は、それぞれのシステムに設定されている周波数バンドにある搬送波周波数によって行われる。
【０００３】
移動無線通信システムはしばしば、標準ＧＳＭ（Global System for Mobile Communication）または例えばベースステーション、ベースステーションのコントロールおよび制御のための装置および別のネットワーク側の装置から成っているネットインフラストラクチャを備えたＵＭＴＳ（Universal Mobile Telecommunications System）に従った、セルラ方式のシステムとして実現されている。
【０００４】
これらの広範囲にオルガニゼーションされた（スープラロカール）セルラ方式のハイアラーキ無線ネットワークの他に、通例は空間的に著しく強く制限されている無線カバー領域を有しているワイヤレスローカルネットワーク（ＷＬＡＮ＝Wireless Local Area Netwaork）がある。ＷＬＡＮの無線アクセスポイント（ＡＰ：Access Point）によってカバーされているセルは数百メートルまでの直径を有していて通例の移動無線セルと比べて小さい。例えばＷＬＡＮに対する標準はＨｉｐｅｒＬＡＮ、ＤＥＣＴ、ＩＥＥＥ８０２．１１、ＢｌｕｅｔｏｏｔｈおよびＷＡＴＭである。
【０００５】
通例ＷＬＡＮに対して、２．４ＧＨｚ周辺の認可されていない周波数領域が利用される。データ伝送レートは１１Ｍｂｉｔ／ｓまでのところにある。将来のＷＬＡＮは５ＧＨｚの領域において作動することができかつ５０Ｍｂｉｔ／ｓを上回るデータレートに達する可能性がある。従ってＷＬＡＮの加入者には、第３の移動無線世代（例えばＵＭＴＳのような）によって提供されるデータレートより著しく上方にあるデータレートを使用することができる。これにより殊にインターネットアクセスとの関連において、大きなデータ量の伝送のために、高ビットレートの接続に対するＷＬＡＮへのアクセスが有利である。
【０００６】
ＷＬＡＮ無線アクセスポイントを介して、別の通信システム、すなわち例えば広帯域データネットワーク（ＢＤＮ＝Broadband Data Network）との接続を行うことができる。このためにＷＬＡＮの無線ステーションは無線アクセスポイントと直接通信するかまたはずっと離れた無線ステーションの場合には別の無線ステーションを介して通信するかである。この別の無線ステーションは無線ステーションと無線アクセスポイントとの間で情報を無線ステーションと無線アクセスポイントとの間のパスを介して先送りする。
【０００７】
例えば同じ場所にＷＬＡＮおよびセルラシステムのような２つの異なった無線通信システムが存在している場合、２つの無線通信システム内で通信することができる無線ステーションが存在もし、一方の無線通信システム内または他方の無線通信システム内のいずれかでしか通信することができない無線ステーションも存在していることが可能である。従ってＷＬＡＮおよびセルラシステムが共存している場合例えば、ＷＬＡＮ並びにセルラ無線インタフェースを有している無線ステーションが存在していてよいし、１つまたは複数のＷＬＡＮ適合無線インタフェースしか有していないような無線ステーションが存在している場合もある。
【０００８】
本発明の課題は、殊に種々様々に装備されている無線インタフェースを有する無線ステーションが存在しているときにも適用可能である、効率のよい無線による通信方法を提供することである。更に、方法の実施を支援することができる無線装置および無線ステーションを提供したい。
【０００９】
この課題は方法に関しては請求項１に記載の特徴部分の構成を有する方法によって解決される。
【００１０】
有利な発展形態および実施形態は従属請求項の対象である。
【００１１】
無線装置と無線ステーションとの間の本発明の無線通信方法において、無線装置は第２の無線ステーションから無線装置に先送りされた、第１の無線ステーションから第３の無線ステーションへのメッセージのこれからの送信に関する該第１の無線ステーションのリクエストを受信する。更に無線装置は、第１の無線ステーションと第３の無線ステーションとの間の、１つまたは複数の無線ステーションを通るパスの少なくとも１つの無線ステーションに、前記パスのそれぞれの無線ステーションに、該パスに沿って第３の無線ステーションの方向において隣接している無線ステーションに関する情報を送信する。ここでメッセージは第１の無線ステーションから第３の無線ステーションへ、パスの無線ステーションによる先送りによって伝送可能である。
【００１２】
パスは無線装置および／または該無線装置に接続されている装置によって、無線ステーション間の隣接関係に関する情報を使用して突き止められる。以下に詳しく説明する無線ステーションの２つのグループが存在している場合、隣接関係は殊に、第２のグループの無線ステーションにだけ関連付けるもしくは第２の無線標準に従って無線装置と通信する無線ステーションにだけ関連付けることができる。有利には、無線ステーション間の隣接関係に関する情報は無線ステーションによって突き止められかつ無線装置に送信される。
【００１３】
パスの無線ステーションとは、メッセージを送信機から受信機に先送りする無線ステーションである。第１および第３の無線ステーション間のパスに関して、無線装置がシグナリング情報をパスの無線ステーションに送信するのだがそれがどの無線ステーションに送信するかに関連して、第２の無線ステーションがこのパスの無線ステーションであると有利である。
【００１４】
第１の無線ステーションがリクエストを送信し、該リクエストは第２の無線ステーションから、例えばセルラ方式の無線通信システムのベースステーションとして実現されていてよい無線装置に先送りされる。この先送りは、第１の無線ステーションが無線装置に直接的な仕方で通信することができず、つまり第１の無線ステーションと無線装置との間の通信は第２の無線ステーションを介して行われるとき殊に有利である。リクエストは、第１の無線ステーションからメッセージの送信が所望されているもしくは意志があるということを表しているもしくはそういう内容を含むものであり、かつ場合によっては第１および第３の無線ステーション間のパスの算出および適当な通報もしくはメッセージの送信のためおよび有利にはメッセージの先送りのためのリソースの割り当てが行われるべきであるということを含んでいる。
【００１５】
リクエストにメッセージの出所および目的地無線ステーション、並びに送信されるべきメッセージのボリュームのデータが含まれていると有利である。リクエストの受信後、無線装置はパス情報を送信する。
【００１６】
有利な実施形態においてこれらにより第２から第３の無線ステーションまでのメッセージの完全な伝送が可能になる。
【００１７】
本発明の発展形態において、無線装置はパスの少なくとも１つの無線ステーションにパスのそれぞれの無線ステーションを通ってメッセージを先送りする際に使用することができる無線リソースに関する情報を送信する。このリソース付与情報により、例えばパスの無線ステーションに先送りのための無線リソースが割り当てられないよきに起こりうることだが、無線リソースが占有されている場合にも衝突が生じることなく、第１の無線ステーションから第３の無線ステーションへのメッセージのスムーズな伝達が可能になる。パス情報もリソース付与情報もパスの無線ステーションの一部にしか送信されなければ、これらの２つの異なったタイプの情報をパスの同じ無線ステーションに送信すると有利である。
【００１８】
本発明の実施形態によれば、無線装置はパス情報もしくはパス情報およびリソース付与情報をパスのそれぞれの無線ステーションに送信する。この場合第１の無線ステーションから第３の無線ステーションにパスを介してメッセージを効率よく伝送するために無線ステーション間で情報を先送りする必要はない。
【００１９】
本発明の発展形態において第１の無線ステーションは、１つまたは複数の無線インタフェースが、無線ステーションと無線装置との間の通信のための無線インタフェースとは異なっている第１のグループの無線ステーションに属している。更にパスの無線ステーションは、無線インタフェースが無線装置との通信のための無線インタフェースを有している第２グループの無線ステーションに属している。その場合無線を介する通信は、例えばＷＬＡＮ内またはＧＳＭまたはＵＭＴＳ内の通信のためまたはシステム内の所定の周波数バンドでの通信のための無線インタフェースのような、それぞれの通信に対して特徴的な無線インタフェースが存在しているときにしか可能ではない。それ故に第１の無線ステーションと無線装置との間の直接的な通信は可能でなく、一方パスの無線ステーションはその無線インタフェースの形態に基づいて無線装置と通信することができる。有利には第３の無線ステーションも第２グループに属する。第１グループは例えば移動加入者であり、第２グループは移動加入者と無線アクセスポイントとの間のリレーステーションとして用いることができる少なくとも一時的に場所固定もしくは定置の無線ステーションである。
【００２０】
種々の無線インタフェースは例えば、それぞれの無線インタフェースを介して通信するために使用される無線標準に基づいて区別することができる。無線ステーション間の通信を第１の無線標準を使用して、例えばＷＬＡＮに従って行いかつ無線ステーションと無線装置との間の通信を第１の無線標準とは異なった、例えばＧＳＭまたはＵＭＴＳのような標準に従った第２の無線標準を使用して行うと有利である。
【００２１】
本発明の発展形態によれば、無線装置は第２の無線ステーションに、メッセージの送信の際に第１の無線ステーションが使用することができる無線リソースに関する情報を送信する。それから第２の無線ステーションはこれらの情報を第１の無線ステーションに先送りすることができる。このやり方は殊に、第１の無線ステーションがその無線インタフェースの構成に基づいて無線装置と直接通信することができないときに有利である。
【００２２】
本発明の実施形態によれば、第１の無線ステーションはメッセージを第２の無線ステーションに送信し、かつパスのそれぞれの無線ステーションはメッセージを、パスに沿って第３の無線ステーションの方向において隣接しているそれぞれの無線ステーションに先送りする。第１の無線ステーションからパスを介する第３の無線ステーションまでのメッセージのこの伝達は有利には、無線装置によってその前にシグナリングされた無線リソースを使用して行われる。
【００２３】
本発明の発展形態において、無線装置は第３の無線ステーションおよび／またはパスの無線ステーションの少なくとも１部に、該それぞれの無線ステーションにパスに沿って第１の無線ステーションの方向において隣接している無線ステーションに関する情報を送信する。情報が例えば構成部分が第２の無線ステーションであるパスの無線ステーションの一部のみならず、このパスのすべての無線ステーションに送信される場合、第２の無線ステーションに情報により、第１の無線ステーションに対するメッセージは第２の無線ステーションにより第１の無線ステーションに直接先送りすることができることが通報される。
【００２４】
無線装置に関する上述した課題は、無線装置に関する独立請求項に記載の構成を有する無線装置によって解決される。
【００２５】
有利な発展形態および実施形態は従属請求項の対象である。
【００２６】
本発明によれば無線ステーションとの無線通信のための本発明の無線装置は次の手段を有している：
第２の無線ステーションから無線装置に先送りされた、第１の無線ステーションから第３の無線ステーションへのメッセージのこれからの送信に関する該第１の無線ステーションのリクエストを受信するための手段を備え、かつ
無線ステーション間の隣接関係に関する情報を使用してパスを突き止めるための手段を備え、および
第１の無線ステーションから第３の無線ステーションへのメッセージを前記パスの無線ステーションによる先送りにより伝送可能である、１つまたは複数の無線ステーションを介して延びているパスの少なくとも１つの無線ステーションに、前記パスのそれぞれの無線ステーションにパスに沿って第３の無線ステーションの方向において隣接している無線ステーションに関する情報を送信する手段。
【００２７】
殊に本発明の無線装置は、上述した２つのグループの無線ステーションが存在しているとき、もしくは無線ステーションが上述したように２つの異なった無線標準を使用して通信するとき特別有利である。
【００２８】
本発明の発展形態において無線装置は更に、パスの少なくとも１つの無線ステーションに前記パスのそれぞれの無線ステーションを通ってメッセージを先送りする際に使用することができる無線リソースに関する情報を送信するための手段を使用することができる。
【００２９】
本発明の有利な実施形態によれば、無線装置は前記パスのそれぞれの無線ステーションに情報を送信するための手段を備えている。
【００３０】
本発明の発展形態において無線装置は、メッセージの送信の際に第１の無線ステーションが使用することができる無線リソースに関する情報を第２の無線ステーションに送信するための手段を使用することができる。
【００３１】
無線ステーションに関する上述した課題は、無線ステーションに関する独立請求項に記載の構成を有する無線ステーションによって解決される。
【００３２】
有利な発展形態は従属請求項の対象である。
【００３３】
無線ステーションおよび無線装置と無線通信するための本発明の無線ステーションは次の手段を有している：
第１の別の無線ステーションから第２の別の無線ステーションへのメッセージのこれからの送信に関する該第１の別の無線ステーションから送信されるリクエストを受信するための手段、
第１の別の無線ステーションのリクエストを無線装置に先送りするための手段、
該第１の別の無線ステーションがメッセージの送信の際に使用することができる無線リソースについての情報を無線装置から受信するための手段、
該第１の別の無線ステーションがメッセージの送信の際に使用することができる無線リソースについての情報を該第１の別の無線ステーションに先送りするための手段。
【００３４】
殊に第１の別の無線ステーションは上述した第１グループの無線ステーションに属することができ、かつ本発明の無線ステーションおよび第２の別の無線ステーションは上述した第２グループの無線ステーションに属することができる。有利には本発明の無線ステーションは移動無線ステーションおよび／または加入者側の無線ステーションである。本発明の無線ステーションは第１の無線標準を使用して第１の別の無線ステーションと通信しかつ無線装置値と第１のものとは異なっている無線標準を使用して通信することが可能である。
【００３５】
本発明の発展形態において本発明の無線ステーションは更に、第３の別の無線ステーションについての情報を無線装置から受信するための手段を有している。つまりこの情報とは、第１の別の無線ステーションから第２の別の無線ステーションへのメッセージがどの第３の別の無線ステーションに先送りすることができるかという情報である。先送りの際に無線装置が使用することができる無線リソースに関する情報を受信するための手段を設けることもできる。
【００３６】
本発明の無線装置および本発明の無線ステーションは殊に本発明の方法を実施するために適しており、その際これは実施形態および発展形態にも該当する。このためにこれらは別の適当な手段を含んでいることができる。
【００３７】
次に本発明を実施例に基づいて詳細に説明する。その際
図１：２つの無線通信システムの部分
図２：本発明の方法の第１の時間的なシーケンス
図３：本発明の方法の第２の時間的なシーケンス
図４：本発明のベースステーションの構成
図５：本発明の無線ステーションの構成
を略示している。
【００３８】
以下において実施例をセルラ方式の無線通信システムおよびＷＬＡＮに基づいて説明するが、本発明は別の無線通信システムにも使用することができる。
【００３９】
図１にはセルラ方式の無線通信システムのベースステーションＢＳの無線セルＺが図示されている。セルラ方式の無線通信システムの無線アクセスネットワークの構成部分であるベースステーションＢＳは、別のインフラストラクチャ装置ＮＥＴ、例えば１つまたは複数のベースステーションの無線リソースを管理するための装置およびコアネットワークに接続されている。セルラ方式の無線通信システムの別のベースステーションおよびこれらそれぞれの無線セルは図１では分かり易くする理由から図示されていない。
【００４０】
無線セルＺにはＷＬＡＮの２つの無線アクセスポイントＡＰＡおよびＡＰＢがあり、これらは別の通信システム、殊にインターネットに対する接続を可能にする。ＷＬＡＮの別の構成部分は無線ステーションＦＮＡ，ＦＮＢ，ＦＮＣおよびＦＮＤであり、これらは移動ステーションＭＮとアクセスポイントＡＰＡおよびＡＰＢとの間でメッセージを先送りするために用いられる。この先送りは有利である。というのは、ＷＬＡＮ内の通信は高い周波数の領域において僅かな送信電力で行われ、その結果無線アクセスポイントＡＰＡおよびＡＰＢの無線カバー領域は著しく制限されている。無線ステーションＦＮＡ，ＦＮＢ，ＦＮＣおよびＦＮＤは場所固定されたもしくは定置の無線ステーション、例えば固定設置された中継局であってよく、または移動局と無線アクセスポイントとの間でのメッセージの先送り機能を一時的に利用する移動ステーションであってもよい。本発明は移動ステーションＭＮが場所固定の無線ステーションであるときにも適用可能である。
【００４１】
無線ステーションＦＮＡ，ＦＮＢ，ＦＮＣおよびＦＮＤ、無線アクセスポイントＡＰＡおよびＡＰＢおよび移動ステーションＭＮはＷＬＡＮに特徴的である無線インタフェースを使用することができるので、これらは相互に通信することができる。相互に通信するために無線ステーションＦＮＡ，ＦＮＢ，ＦＮＣおよびＦＮＤ、無線アクセスポイントＡＰＡおよびＡＰＢおよび移動ステーションＭＮはＷＬＡＮ標準を使用する。移動ステーションＭＮはＷＬＡＮ無線インタフェースしか有していないが、無線ステーションＦＮＡ，ＦＮＢ，ＦＮＣおよびＦＮＤ、無線アクセスポイントＡＰＡおよびＡＰＢは更に、セルラ方式の無線通信システムに特徴的な無線インタフェースを使用することができる。従って無線ステーションＦＮＡ，ＦＮＢ，ＦＮＣおよびＦＮＤ、無線アクセスポイントＡＰＡおよびＡＰＢは相互にも、移動ステーションＭＮとも、セルラ方式の無線通信システムのベースステーションＢＳとも通信することができる。ベースステーションＢＳとの通信のために、セルラ方式の無線通信システムの移動無線標準が使用される。これに対して移動ステーションにとってベースステーションＢＳとの直接通信は不可能である。というのは移動ステーションはこのために必要な無線インタフェースを有していないからである。
【００４２】
次に、移動ステーションＭＮがメッセージを無線アクセスポイントに送信して、インターネットからデータを要求するという例について考察する。図２には本発明の方法の時間的なシーケンスが示されており、その際時間は右方向に経過するようになっている（ｔｉｍｅ−＞）。移動ステーションＭＮはリクエストＲＥＱを隣接の無線ステーションＦＮＢに送信する。これにより移動ステーションは無線ステーションＦＮＢに、移動ステーションが所定の、リクエストＲＥＱに言及されているボリュームのメッセージを無線アクセスポイントに送信したいことを告げる。この場合移動ステーションＭＮは、無線アクセスポイントＡＰＡおよびＡＰＢのいずれと通信したいかを指示する必要はない。無線ステーションＦＮＢはリクエストＲＥＱをベースステーションＢＳに先送りする。
【００４３】
ベースステーションＢＳもしくはベースステーションＢＳに接続されている、セルラ方式の無線通信システムの適当なネットワーク側の装置はリクエストＲＥＱの受信後移動ステーションＭＮと無線アクセスポイントＡＰＡもしくはＡＰＢの１つとのパスを定め、その際パスは専ら無線ステーションＦＮＡ，ＦＮＢ，ＦＮＣおよびＦＮＤを通るものである。場合によっては別の、移動ステーションＭＮおよび無線アクセスポイントＡＰＡおよびＡＰＢの周辺に存在している移動ステーションは移動ステーションＭＮと無線アクセスポイントＡＰＡもしくはＡＰＢとの間でメッセージを先送りするために使用されない。
【００４４】
移動ステーションＭＮと無線アクセスポイントＡＰＡもしくはＡＰＢとの間に適当なパスを定めるために、ベースステーションＢＳもしくはベースステーションＢＳに接続されているネットワーク側の、セルラ方式の無線通信システムの装置は、無線ステーションＦＮＡ，ＦＮＢ，ＦＮＣおよびＦＮＤと無線アクセスポイントＡＰＡもしくはＡＰＢとの間の隣接関係を知っている。このために無線ステーションＦＮＡ，ＦＮＢ，ＦＮＣおよびＦＮＤおよび無線アクセスポイントＡＰＡもしくはＡＰＢはそれぞれの隣接局を適当なシグナリング交換によって探り出しかつその結果をベースステーションＢＳに送信している。次のときに、２つの無線ステーションもしくは１つの無線ステーションおよび１つの無線アクセスポイントが隣接している。すなわち、メッセージがこれらの間で直接、それをメッセージの先送りを必要とすることなく伝送することができるときである。ベースステーションＢＳもしくはベースステーションＢＳに接続されているネットワーク側の装置におけるパスの特定はそれ自体公知の方法によって行うことができる。
【００４５】
以下において、移動ステーションＭＮから無線アクセスポイントＡＰＢにメッセージが送信されるべきであり、その際メッセージはこのために無線ステーションＦＮＢおよびＦＮＤによって先送りすることができることがネットワーク側において突き止められたことから出発する。従って移動ステーションＭＮと無線アクセスポイントＡＰＢとの間のパスの無線ステーションは２つの無線ステーションＦＮＢおよびＦＮＤである。ベースステーションＢＳはその都度２つの無線ステーションＦＮＢおよびＦＮＤに、メッセージを先送りすることができる隣接無線ステーションに関するおよび先送りのために使用することができる無線リソースに関する情報ＩＮＦＯを送信する。従って無線ステーションＦＮＢに対する情報ＩＮＦＯは次の通りであってよい：無線アクセスポイントＡＰＢへの方向での次の隣接ステーションは無線ステーションＦＮＤであり、移動ステーションＭＮからのメッセージを無線アクセスポイントＡＰＢに先送りするために周波数Ｆ１およびタイムスロットＺ１を使用することができる。無線ステーションＦＮＤに対する情報ＩＮＦＯは相応に次の通りであってよい：無線アクセスポイントＡＰＢへの方向での次の隣接ステーションは無線アクセスポイントＡＰＢであり、移動ステーションＭＮからのメッセージを無線アクセスポイントＡＰＢに先送りするために周波数Ｆ１およびタイムスロットＺ２を使用することができる。本発明が使用する無線通信システムの形態に依存して、別の無線リソースも情報ＩＮＦＯによりシグナリングすることができる。
【００４６】
付加的にベースステーションＢＳは移動ステーションＭＮと直接通信する無線ステーションＦＮＢに、移動ステーションＭＮがメッセージを無線ステーションＦＮＢに送信するためにどの無線リソースが使用されるのかに関する情報ＲＥＳを送信する。これらの情報ＲＥＳは無線ステーションＦＮＢから移動ステーションＭＮに先送りされる。
【００４７】
無線ステーションＦＮＢおよびＦＮＤも、移動ステーションＭＮも、移動ステーションＭＮからのメッセージを無線アクセスポイントＡＰＢに送信もしくは先送りするためにどの無線リソースが使用を使用することができるのか、およびどの隣接ステーションにメッセージを先送りすることができるのかに関することが分かった後で、移動ステーションＭＮはメッセージＤＡＴＡを無線ステーションＦＮＢに送信する。続いてメッセージＤＡＴＡはまず無線ステーションＦＮＢから無線ステーションＦＮＤに、かつ次いで無線ステーションＦＮＤから無線アクセスポイントＡＰＢに先送りされる。このために移動ステーションＭＮおよび２つの無線ステーションＦＮＢおよびＦＮＤはその都度、これらにベースステーションＢＳからシグナリングされた無線リソースを使用する。
【００４８】
図３は、上に説明したメッセージもしくは情報を伝送するためにどの無線インタフェースが使用されるかの概観を示したものである。ここで上側のボックスバーＣＥＬＬはセルラ方式の無線通信システムに特徴的である無線インタフェースを介する伝送に当てはまり、一方下側のボックスバーＷＬＡＮはＷＬＡＮに特徴的な無線インタフェースを象徴的に示している。それぞれのメッセージもしくは情報の下にそれぞれ、どのステーションがメッセージもしくは情報の送信機もしくは受信機であるかが示されている。
【００４９】
最初、リクエストＲＥＱの送信がＷＬＡＮ無線インタフェースＷＬＡＮを介して移動ステーションＭＮから無線ステーションＦＮＢに対して行われ、無線ステーションＦＮＢはこのリクエストＲＥＱをセルラ方式の無線インタフェースＣＥＬＬを介してベースステーションＢＳに先送りする。ベースステーションＢＳから無線ステーションＦＮＢもしくはＦＮＤへの情報ＩＮＦＯおよびＲＥＳの送信はセルラ方式の無線インタフェースＣＥＬＬを介して行われる。無線ステーションＦＮＢから移動ステーションＭＮへの情報ＲＥＳの先送りは、後続の、移動ステーションＭＮから別の無線ステーションＦＮＢを介する無線アクセスポイントＡＰＢへのメッセージＤＡＴＡの伝送と同様に、ＷＬＡＮ無線インタフェースＷＬＡＮを使用する。
【００５０】
パスおよびリソース付与情報ＩＮＦＯはベースステーションＢＳからパスの無線ステーションの部分に対してだけ送信するようにしてもよい。情報ＩＮＦＯが例えば無線ステーションＦＮＢにだけ送信されるならば、無線ステーションＦＮＢは無線ステーションＦＮＤに関する情報を無線ステーションＦＮＤに先送りすることができる。
【００５１】
説明してきた手法に対して択一的に、ベースステーションＢＳから送信される情報をパス情報にだけ関連付けて、パスの無線ステーションが無線アクセスポイントの側におけるその隣接する無線ステーションに関する情報だけを受信するようにすることができる。その場合無線リソースを付与するための方法は分散的に、すなわちベースステーションＢＳの協働なしに行うことができる。
【００５２】
ベースステーションＢＳが無線ステーションＦＮＤおよびＦＮＢおよび無線アクセスポイントＡＰＢに、どの隣接ステーションが無線アクセスポイントＡＰＢから移動ステーションＭＮへのメッセージを送信するもしくは先送りすることができるかも通報することが可能である。これによれば無線アクセスポイントＡＰＢに無線ステーションＦＮＤが、無線ステーションＦＮＤに無線ステーションＦＮＢが、および無線ステーションＦＮＢに移動ステーションＭＮがシグナリングされる。無線アクセスポイントＡＰＡから移動ステーションＭＮへのメッセージ伝送に対する無線リソースの付与も本発明の、移動ステーションＭＮから無線アクセスポイントＡＰＢへのメッセージ伝送に対する無線リソースの付与に対して付加的に可能である。これらの情報はメッセージＤＡＴＡの受信に続いて内容をインターネットから移動ステーションＭＮに伝送するために無線アクセスポイントによって利用することができる。
【００５３】
図４には、手段Ｍ１ないしＭ６を有する本発明のベースステーションＢＳの構成が略示されている。手段Ｍ１によってベースステーションＢＳは無線ステーションＦＮＢからベースステーションＢＳに先送りされる、移動ステーションＭＮのリクエストを受信しかつ評価することができる。手段Ｍ２に基づいてベースステーションＢＳは無線ステーションＦＮＢおよびＦＮＤまたは少なくとも、移動ステーションＭＮと無線アクセスポイントＡＰＢとの間のパスの無線ステーションの一部に、無線アクセスポイントＡＰＢの方向におけるそれぞれの隣接ステーションに関するパス情報を送信することができる。移動ステーションＭＮと無線アクセスポイントＡＰＢとの間でメッセージを先送りする際に使用することができる無線リソースに関する情報を無線ステーションＦＮＢおよび／またはＦＮＤに送信するのに用いられるのは手段Ｍ３である。手段Ｍ４により、上述した情報をベースステーションＢＳから２つの無線ステーションＦＮＢおよびＦＮＤに送信することが可能になる。手段Ｍ５に基づいてベースステーションＢＳは情報を無線ステーションＦＮＢに、メッセージの送信の際に移動ステーションＭＮによって使用することができる無線リソースの付与に関する情報を付けて送信することができる。更に手段Ｍ６は移動ステーションＭＮと無線アクセスポイントＡＰＢとの間のパスを突き止めるために用いられる。
【００５４】
図５には手段Ｍ１１ないしＭ１５を有する本発明の無線ステーションＦＮＢの構成が略示されている。手段Ｍ１１によって無線ステーションＦＮＢは移動ステーションＭＮの、無線アクセスポイントＡＰＢへのメッセージの計画された送信に関するリクエストを受信しかつ処理する。このリクエストを無線ステーションＦＮＢは手段Ｍ１２に基づいてベースステーションＢＳに先送りすることができる。手段Ｍ１３は移動ステーションＭＮによって使用することができる無線リソースに関してベースステーションＢＳからの情報を受信するために用いられる。これら情報を無線ステーションＦＮＢは手段Ｍ１４を使用して移動ステーションＭＮに先送りする。手段Ｍ１５はベースステーションＢＳからの、無線ステーションＦＮＤに関する情報の受信のために用いられる。つまりこの無線ステーションＦＮＤに無線ステーションＦＮＢは移動ステーションＭＮから無線アクセスポイントＡＰＢへのメッセージを先送りすることができる。
【００５５】
図４の本発明のベースステーションＢＳ並びに図５の本発明の無線ステーションＦＮＢの実現のために、相応の手段を有している多数の相互接続されている装置も同等に使用することができる。
【図面の簡単な説明】
【００５６】
【図１】２つの無線通信システムの部分の略図
【図２】本発明の方法の第１の時間的なシーケンスの略図
【図３】本発明の方法の第２の時間的なシーケンスの略図
【図４】本発明のベースステーションの構成の略図
【図５】本発明の無線ステーションの構成の略図
【図１】
2007531438.tif 000003
【図２】
2007531438.tif 000004
【図３】
2007531438.tif 000005
【図４】
2007531438.tif 000006
【図５】
2007531438.tif 000007
【国際調査報告】
2007531438.tif 000008
2007531438.tif 000009
2007531438.tif 000010
2007531438.tif 000011
2007531438.tif 000012
2007531438.tif 000013